(57)【要約】【課題】ユーザが窓センサと親機との通信可否を認識することができる窓監視システムを提供する。【解決手段】窓センサ１は、窓４の開閉状態と施解錠状態との少なくとも一方の状態が操作により変化すると、状態の検知結果を示す状態信号を無線で送信する。親機２は、状態信号を受信すると検知結果を報知し、確認信号を無線で窓センサ１に返信する。また、窓センサ１は、無線信号を送受信する通信部１５と、親機２との通信可否を報知する報知部１６を有する。通信部１５は、状態信号を送信してから第１の期間Ｔ１中は、確認信号の受信待ちを行う。報知部１６は、通信部１５が第１の期間Ｔ１内に確認信号を受信すると第１の報知音を出力する第１のモードを実行し、通信部１５が第１の期間Ｔ１内に確認信号を受信しなかった場合、第１の報知音と異なる第２の報知音を出力する第２のモードを実行する。【選択図】図１
2015149664.tif 000002
【特許請求の範囲】
【請求項１】
窓の開閉状態と施解錠状態との少なくとも一方の状態が操作により変化すると、前記状態の検知結果を示す状態信号を無線で送信する窓センサと、
前記状態信号を受信すると前記検知結果を報知し、確認信号を無線で前記窓センサに返信する親機とを備え、
前記窓センサは、
無線信号を送受信する通信部と、
前記親機との通信可否を報知する報知部とを有し、
前記通信部は、前記状態信号を送信してから所定期間中は、前記確認信号の受信待ちを行い、
前記報知部は、前記通信部が前記所定期間内に前記確認信号を受信すると第１の報知音を出力する第１のモードを実行する
ことを特徴とする窓監視システム。
【請求項２】
前記報知部は、前記通信部が前記所定期間内に前記確認信号を受信しなかった場合、前記第１の報知音と異なる第２の報知音を出力する第２のモードを実行する
ことを特徴とする請求項１記載の窓監視システム。
【請求項３】
前記通信部は、予め設定されたタイミングで生存確認信号を送信し、
前記報知部は、前記通信部が前記生存確認信号を送信すると前記第２のモードを停止し、
前記親機は、予め設定された期間内に前記生存確認信号を受信しなかった場合、前記窓センサと通信不可であることを報知する
ことを特徴とする請求項２記載の窓監視システム。
【請求項４】
前記窓センサは、操作入力によって前記第２のモードを停止させる警報停止部を備える
ことを特徴とする請求項２または３記載の窓監視システム。
【請求項５】
前記親機は、前記窓センサと通信不可であることを示す情報が操作器から入力される入力部を備え、前記入力部に前記情報が入力された場合、前記窓センサと通信不可であることを示す表示を行う一方、前記通信部が前記窓センサからの無線信号を受信した場合、前記表示を解除する
ことを特徴とする請求項１乃至４のうちいずれか１項に記載の窓監視システム。
【発明の詳細な説明】
【技術分野】
【０００１】
本発明は、窓の状態を監視する窓監視システムに関するものである。
【背景技術】
【０００２】
従来、窓の開閉状態と施解錠状態とを検知する窓センサが提供されている（例えば、特許文献１参照）。この種の窓センサは、窓の開閉状態と施解錠状態とを検知し、検知結果を無線信号で親機に送信している。そして、親機のモニターで、窓の開閉状態および施解錠状態を確認することができる。
【先行技術文献】
【特許文献】
【０００３】
【特許文献１】特開２０１３−４４２１７号公報
【発明の概要】
【発明が解決しようとする課題】
【０００４】
しかし、無線による通信は、環境によって通信可能なエリアが変動する。そのため、窓センサからの無線信号を親機が受信できない場合、親機は窓の状態を正確に把握することができず、セキュリティを確保できなくなる。したがって、ユーザは、窓センサと親機との通信可否を認識する必要がある。
【０００５】
本発明は、上記事由に鑑みてなされたものであり、その目的は、ユーザが窓センサと親機との通信可否を認識することができる窓監視システムを提供することにある。
【課題を解決するための手段】
【０００６】
本発明の窓監視システムは、窓の開閉状態と施解錠状態との少なくとも一方の状態が操作により変化すると、前記状態の検知結果を示す状態信号を無線で送信する窓センサと、前記状態信号を受信すると前記検知結果を報知し、確認信号を無線で前記窓センサに返信する親機とを備え、前記窓センサは、無線信号を送受信する通信部と、前記親機との通信可否を報知する報知部とを有し、前記通信部は、前記状態信号を送信してから所定期間中は、前記確認信号の受信待ちを行い、前記報知部は、前記通信部が前記所定期間内に前記確認信号を受信すると第１の報知音を出力する第１のモードを実行することを特徴とする。
【０００７】
この窓監視システムにおいて、前記報知部は、前記通信部が前記所定期間内に前記確認信号を受信しなかった場合、前記第１の報知音と異なる第２の報知音を出力する第２のモードを実行することが好ましい。
【０００８】
この窓監視システムにおいて、前記通信部は、予め設定されたタイミングで生存確認信号を送信し、前記報知部は、前記通信部が前記生存確認信号を送信すると前記第２のモードを停止し、前記親機は、予め設定された期間内に前記生存確認信号を受信しなかった場合、前記窓センサと通信不可であることを報知することが好ましい。
【０００９】
この窓監視システムにおいて、前記窓センサは、操作入力によって前記第２のモードを停止させる警報停止部を備えることが好ましい。
【００１０】
この窓監視システムにおいて、前記親機は、前記窓センサと通信不可であることを示す情報が操作器から入力される入力部を備え、前記入力部に前記情報が入力された場合、前記窓センサと通信不可であることを示す表示を行う一方、前記通信部が前記窓センサからの無線信号を受信した場合、前記表示を解除することが好ましい。
【発明の効果】
【００１１】
以上説明したように、本発明では、窓センサが状態信号を送信後、親機からの確認信号を受信できたか否かが報知されるので、ユーザが窓センサと親機との通信可否を認識することができるという効果がある。
【図面の簡単な説明】
【００１２】
【図１】実施形態の窓センサのブロック構成図である。
【図２】実施形態の親機のブロック構成図である。
【図３】実施形態の窓監視システムの概略構成図である。
【図４】実施形態の窓センサの概略構成図である。
【図５】実施形態のシーケンス図である。
【図６】実施形態のシーケンス図である。
【図７】実施形態のシーケンス図である。
【図８】実施形態の親機のモニターにおける通信不可時の表示を示す図である。
【図９】実施形態の親機のモニターにおける通信正常時の表示を示す図である。
【発明を実施するための形態】
【００１３】
以下、本発明の実施の形態を図面に基づいて説明する。
【００１４】
（実施形態）
本実施形態の窓監視システムは、窓センサ１と親機２とを備える（図３参照）。窓センサ１は、窓４の開閉状態と施解錠状態との少なくとも一方の状態が操作により変化すると、状態の検知結果を示す状態信号を無線で送信する。親機２は、状態信号を受信すると検知結果を報知し、確認信号を無線で窓センサ１に返信する。また、窓センサ１は、無線信号を送受信する通信部１５と、親機２との通信可否を報知する報知部１６を有する（図１参照）。通信部１５は、状態信号を送信してから所定期間（第１の期間Ｔ１）中は、確認信号の受信待ちを行う。報知部１６は、通信部１５が第１の期間Ｔ１内に確認信号を受信すると第１の報知音を出力する第１のモードを実行し、通信部１５が第１の期間Ｔ１内に確認信号を受信しなかった場合、第１の報知音と異なる第２の報知音を出力する第２のモードを実行する。
【００１５】
以下に、本実実施形態の窓監視システムについて詳細に説明する。
【００１６】
図３に示すように、窓センサ１は、クレセント錠３を備えた引違い式の窓４に取り付けられ、窓４の開閉状態、およびクレセント錠３の施解錠状態とを検知する。そして、窓センサ１は、ユーザの操作によって窓４の開閉状態または施解錠状態が変化すると、電波を伝送媒体に用いた無線信号を用いて検知結果を示す状態信号を親機２に送信する。親機２は、モニター２１を備えており、窓センサ１から送信された状態信号を受信する。そして、親機２は、受信した状態信号が示す窓４の開閉状態および施解錠状態をモニター２１に表示してユーザに報知する。なお、１台の親機２に対して複数個の窓センサ１を対応付けることができる。窓センサ１が送信する無線信号には窓センサ１の識別情報が付加されており、親機２は、窓センサ１が取り付けられた窓４毎の開閉状態、施解錠状態を表示することができる。また、図３に示すように、窓センサ１は、取り付けられている場所を名称（例えば、居間１、居間２、寝室１など）として親機２に設定されている。これにより、ユーザは、親機２のモニター２１に表示される窓４の開閉状態、施解錠状態が、どの場所の窓４を示しているかを容易に認識することができる。なお、親機２は、窓センサ１専用のものを用いてもよいし、HEMS（Home Energy Management System）のコントローラを用いてもよい。
【００１７】
クレセント錠３は、窓４の一方の窓枠４１に固定された錠本体３１と、他方の窓枠４１に固定されたクレセント受け３２とで構成されている。錠本体３１は、直方体形状の台座３３と、台座３３に対して回転自在に設けられた半月形状のクレセント部３４と、クレセント部３４の一端に連結された直方体形状の操作レバー３５とを備える。そして、操作レバー３５を持ってクレセント部３４を回転させることにより、操作レバー３５がクレセント部３４の上に位置するときは、クレセント部３４がクレセント受け３２と結合してクレセント錠３が施錠状態となる。一方、操作レバー３５がクレセント部３４の下に位置するときは、クレセント部３４とクレセント受け３２との結合が外れてクレセント錠３が解錠状態となる。なお、クレセント錠３が施錠状態であるときの操作レバー３５の位置を施錠位置、クレセント錠３が解錠状態であるときの操作レバー３５の位置を解錠位置という。
【００１８】
窓センサ１は、窓枠における錠本体の上方に取り付けられるセンサ本体１０と、窓ガラスに取り付けられる第１の磁石１３１と、操作レバー３５に取り付けられる第２の磁石１４１とを備える。図４に、窓センサ１の概略構成図を示す。センサ本体１０の内部には、電池１１と、マイクロコントローラ１２（以降、マイコン１２と略称する）と、窓開閉検知部１３と、施解錠検知部１４とが設けられている。
【００１９】
電池１１は、コイン型リチウム電池で構成されており、窓センサ１の電源として機能する。
【００２０】
窓開閉検知部１３は、磁気抵抗素子（MR（Magneto Resistance）素子）、ホール素子等で構成されており、電池１１から給電されることによって、受けた磁界の強さに応じた電気信号を検知信号としてマイコン１２に出力する。第１の磁石１３１は、窓ガラス４２に取り付けられており、窓４が閉位置にあるときに窓開閉検知部１３との距離が短くなり、窓４が開位置にあるときに窓開閉検知部１３との距離が長くなる位置に配置されている。
【００２１】
マイコン１２は、窓開閉検知部１３が出力する検知信号に基づいて、窓４の開閉状態を判断する開閉判断部１２１を備えている。開閉判断部１２１は、窓開閉検知部１３が出力する検知信号と所定の閾値とを比較し、窓４の開閉状態を判断する。窓４が閉位置にある場合、第１の磁石１３１は窓開閉検知部１３に近い位置にあるので検知信号が閾値を上回り、開閉判断部１２１は、窓４が閉状態であると判断する。一方、窓４が開位置にある場合、第１の磁石１３１は窓開閉検知部１３から離れた位置にあるので検知信号が閾値を下回り、開閉判断部１２１は、窓４が開状態であると判断する。また、窓開閉検知部を図４における上下方向から挟み込むように一対の第１のヨーク１３２が設けられている。一対の第１のヨーク１３２によって、窓４が閉位置にあるときに第１の磁石１３１から放出される磁束が窓開閉検知部１３に効率よく伝えられ、窓４の開閉状態の検知精度を向上させることができる。
【００２２】
施解錠検知部１４は、磁気抵抗素子（MR（Magneto Resistance）素子）、ホール素子等で構成されており、電池１１から給電されることによって、受けた磁界の強さに応じた電気信号を検知信号としてマイコン１２に出力する。第２の磁石１４１は、操作レバー３５に取り付けられており、クレセント錠３が施錠位置にあるときに施解錠検知部１４との距離が短くなり、クレセント錠３が解錠位置にあるときに施解錠検知部１４との距離が長くなる。
【００２３】
マイコン１２は、施解錠検知部１４が出力する検知信号に基づいて、クレセント錠３の施解錠状態を判断する施解錠判断部１２２を備えている。施解錠判断部１２２は、施解錠検知部１４が出力する検知信号と所定の閾値とを比較し、クレセント錠３の施解錠状態を判断する。クレセント錠３が施錠位置にある場合、第２の磁石１４１は施解錠検知部１４に近い位置にあるので検知信号が閾値を上回り、施解錠判断部１２２は、クレセント錠３が施錠状態であると判断する。一方、クレセント錠３が解錠位置にある場合、第２の磁石１４１は施解錠検知部１４から離れた位置にあるので検知信号が閾値を下回り、施解錠判断部１２２は、クレセント錠３が解錠状態であると判断する。また、施解錠検知部１４を図４における左右方向から挟み込むように一対の第１のヨーク１４２が設けられている。一対の第１のヨーク１４２によって、クレセント錠３が施錠位置にあるときに第２の磁石１４１から放出される磁束が施解錠検知部１４に効率よく伝えられ、クレセント錠３の施解錠状態の検知精度を向上させることができる。
【００２４】
次に、図１、図２に示すブロック構成図を用いて、窓センサ１、親機２の具体的な構成について説明する。
【００２５】
窓センサ１は、上述した電池１１、マイコン１２、窓開閉検知部１３、施解錠検知部１４に加えて、通信部１５、報知部１６がセンサ本体１０に設けられている。
【００２６】
通信部１５は、無線信号を送受信する通信インターフェースで構成されており、親機２との間で無線信号の送受信を行う。マイコン１２は、ユーザの操作によって窓４の開閉状態または施解錠状態が変化すると、通信部１５を用いて窓４の開閉状態または施解錠状態を示す状態信号を送信する。
【００２７】
報知部１６は、図示しないブザーおよびブザーを鳴らす駆動回路で構成されており、親機２との通信可否を報知する。親機２との通信が正常（可能）である場合、報知部１６は、第１の報知音（例えば、「ピピピ」という音）を出力する第１のモードを実行する。一方、親機２との通信が異常（不可）である場合、報知部１６は、第１の報知音と異なる第２の報知音（例えば、「ピッ」という１秒周期の間欠音）を出力する第２のモードを実行する。なお、第１の報知音は、短期間で完結するのに対し、第２の報知音は、第２のモードが停止されるまで鳴り続ける。
【００２８】
親機２は、モニター２１、制御部２２、通信部２３、電源回路２４を備える。
【００２９】
親機２は、商用電源Ｅ１を入力電源として用いており、電源回路２４は、商用電源Ｅ１からの供給電圧を所定の電圧に変換して出力する。通信部２３は、無線信号を送受信する通信インターフェースで構成されており、窓センサ１との間で無線信号の送受信を行う。制御部２２は、マイクロコントローラで構成されており、通信部２３を介して窓センサ１からの状態信号を受信すると、この状態信号が示す窓４の開閉状態および施解錠状態をモニター２１に表示する（図３参照）。さらに、制御部２２は、窓センサ１からの状態信号を受信すると、状態信号の受信が正確に行われたことを示す確認信号を通信部２３を用いて窓センサ１に返信する。
【００３０】
また、窓センサ１のマイコン１２は、報知部１６を制御する報知制御部１２３を備えており、通信部１５が確認信号を受信できたか否かによって、報知部１６の動作モード（第１のモード、第２のモード）を決定する。
【００３１】
報知部１６の動作について、図５、図６に示すシーケンス図を用いて説明する。
【００３２】
まず、図５に示すシーケンス図を用いて、窓センサ１と親機２との通信状態が正常である場合について説明する。
【００３３】
ユーザの操作によって窓４の開閉状態または施解錠状態が変化すると、窓センサ１の通信部１５から状態信号が送信される。そして、通信部１５は、状態信号を送信してから所定期間（第１の期間Ｔ１）中は、親機２から返信される確認信号の受信待ちを行う。親機２は、状態信号を正常に受信するとモニター２１に窓４の状態を表示し、確認信号を返信する。通信部１５が第１の期間Ｔ１内に確認信号を受信すると、報知制御部１２３は、報知部１６を第１のモードで実行させることで第１の報知音が出力される。また、通信部１５は、確認信号を受信した時点で受信待ちを解除する。なお、第１の期間Ｔ１は、親機２の処理速度に基づいて設定されており、例えば１秒間など比較的短い期間が設定される。
【００３４】
ユーザは、第１の報知音を聞くことによって、窓センサ１と親機２との通信が正常であり、窓４の状態が親機２に正常に通知されたことを認識することができ、親機２のモニター２１の表示を信用することができる。
【００３５】
次に、図６に示すシーケンス図を用いて、窓センサ１と親機２との通信が不可である場合について説明する。通信環境によって、親機２が状態信号を正常に受信できない場合、親機２から確認信号が返信されない。そして、報知制御部１２３は、通信部１５が第１の期間Ｔ１内に確認信号を受信しなかった場合、報知部１６を第２のモードで実行させることで第２の報知音の出力が開始される。また、通信部１５は、第１の期間Ｔ１内に確認信号を受信しなかった場合、状態信号を再送信し確認信号の受信待ちを継続する。以降、通信部１５は、第１の期間Ｔ１を周期として、通信部１５が確認信号を受信するまで状態信号の再送信を繰り返す。そして、状態信号が親機２に正常に到達し通信部１５が確認信号を受信すると、報知制御部１２３は、第２のモードを停止させ第２の報知音を終了させる。このとき、報知部１６が第１のモードを実行することで、第１の報知音を出力するように構成してもよい。
【００３６】
ユーザは、第２の報知音を聞くことによって、窓センサ１と親機２との通信が異常であり、窓４の状態が親機２に正常に通知されていないことを認識することができる。
【００３７】
このように、本実施形態の窓監視システムは、窓センサ１が親機２から返信された確認信号を受信できたか否かに基づいて、通信可否を示す報知音（第１の報知音、第２の報知音）が窓センサ１から出力される。したがって、ユーザは、報知音を聞くことで、窓センサ１と親機２との通信可否を認識することができ、親機２のモニター２１の表示内容が信用できるか否かも判断することができる。
【００３８】
また、ユーザが窓４の開閉または施解錠を行ってから比較的短い第１の期間Ｔ１以内で、音（第１，第２の報知音）による報知が行われる。すなわち、ユーザは、すぐ近くで第１，第２の報知音が出力されるので、音に気付きやすく、窓センサ１を目視することなく容易に通信可否を認識することができる。
【００３９】
また、窓センサ１は、状態信号を送信してから第１の期間Ｔ１中のみ確認信号の受信待ちを行う。したがって、通信部１５が常に確認信号の受信待ちを行う場合に比べて、消費電力を低減することができ、電池１１の交換費用、交換の手間を抑制することができる。
【００４０】
次に、本実施形態の第１の別構成として、図７に示すように、窓センサ１は、窓４の開閉状態および施解錠状態が変化していない場合であっても、予め設定されたタイミングで窓４の開閉状態および施解錠状態を示す生存確認信号を送信するように構成してもよい。マイコン１２は、第２の期間Ｔ２（例えば、１時間）を周期として、通信部１５を用いて生存確認信号を送信する。また、生存確認信号送信時に、報知部１６が第２のモードを実行中である場合、報知制御部１２３は、第２のモードを停止させ第２の報知音を終了させる。
【００４１】
親機２は、図示しないカウンタを備えており、カウンタは、前回に生存確認信号を受信してから現在までの時間をカウントしており、生存確認信号を受信するとカウント値がリセットされる。そして、制御部２２は、カウンタのカウント値が、第２の期間Ｔ２よりも長く設定された第３の期間Ｔ３を超えると、窓センサ１と通信不可であると判断し、モニター２１に窓センサ１と通信不可であることを示す表示を行う（図８参照）。なお、図８の図示例では、「寝室１」に設けられた窓センサ１と通信不可であることを示す「異常」をモニター２１に表示している。そして、制御部２２は、窓センサ１との通信異常が解消し、状態信号または生存確認信号を受信した場合、窓センサ１と通信不可であることを示す表示を解除し、現在の窓４の開閉状態、施解錠状態をモニター２１に表示する（図９参照）。なお、親機２は、窓センサ１と通信不可であることを報知する構成としてモニター２１に表示する以外に、例えばＬＥＤ（Light Emitting Diode）を点灯させることによる光を用いた報知、またはブザーを鳴らすことによる音を用いた報知を行う構成でもよい。
【００４２】
これにより、ユーザは、親機２のモニター２１を目視することで、窓センサ１と通信不可であることを認識することができる。さらに、親機２のモニター２１に窓センサ１と通信不可であることを示す表示が行わることで、第２の報知音を聞いたユーザ以外（例えば家族など）も、窓センサ１と通信不可であることを認識することができる。
【００４３】
また、窓センサ１は、生存確認信号を送信した時点で第２の報知音が停止されるので、例えば就寝中などに音が鳴り続けることによる不快を防止することができる。また、通信異常が解消し、親機２が状態信号または生存確認信号を受信すると、自動的に現在の窓４の状態が表示されるので利便性が向上する。
【００４４】
また、本実施形態の第２の別構成として、親機２は、窓センサ１と通信不可であることを示す情報が操作器（例えば、タッチパネル、ボタン、リモコンなど）から入力される入力部２５を備えていてもよい（図２参照）。例えば、ユーザが第２の報知音を聞いた際に、生存確認信号が送信されるまでに、ユーザの手動操作によって、窓センサ１と通信不可であることを示す情報が入力部２５に入力される。制御部２２は、入力部２５に窓センサ１と通信不可であることを示す情報が入力されると、モニター２１に窓センサ１と通信不可であること示す表示を行う（図８参照）。そして、制御部２２は、窓センサ１との通信異常が解消し、窓センサ１からの無線信号（状態信号または生存確認信号）を受信した場合、窓センサ１と通信不可であることを示す表示を解除し、現在の窓４の開閉状態、施解錠状態を表示する（図９参照）。また、窓センサ１は、ユーザの操作入力によって第２のモードを停止させ、第２の報知音の出力を終了させる警報停止部１７を備えていてもよい（図１参照）。ユーザは、第２の報知音を聞いて、親機２に窓センサ１と通信不可であることを示す情報を入力する場合に、第２の報知音を停止させることができるので、第２の報知音が鳴り続けることによる不快を防止することができる。
【符号の説明】
【００４５】
１  窓センサ
１１  電池
１２  マイコン
１３  窓開閉検知部
１４  施解錠検知部
１５  通信部
１６  報知部
２  親機
２１  モニター
【図１】
2015149664.tif 000003
【図２】
2015149664.tif 000004
【図３】
2015149664.tif 000005
【図４】
2015149664.tif 000006
【図５】
2015149664.tif 000007
【図６】
2015149664.tif 000008
【図７】
2015149664.tif 000009
【図８】
2015149664.tif 000010
【図９】
2015149664.tif 000011